【手続補正書】
【提出日】平成26年10月7日(2014.10.7)
【手続補正１】
【補正対象書類名】特許請求の範囲
【補正対象項目名】全文
【補正方法】変更
【補正の内容】
【特許請求の範囲】
【請求項１】
薬物投与部材、エネルギー源、トリガー機構、および薬物送達オリフィスと流体連通した液体薬物製剤を保持する薬物容器を備える無針注射器であって、
加圧ガス用の容器;
保存中にガス容器を加圧状態に維持する保存シールを備えるスプール;
加圧ガスをチャンバーに放出する形でスプールを解放するための手段;
放出された加圧ガスによって前方に駆り立てられるような形でチャンバー内に摺動可能に配置されたラム;
を備え、放出された加圧ガスによってラムは強制的に動かされて、液体製剤は薬物送達オリフィスを通って送達される、無針注射器。
【請求項２】
ガスがチャンバー内に放出された後に、加圧ガスの消失に抵抗して密閉する、さらなるシールを、スプールがさらに備える、請求項1記載の無針注射器。
【請求項３】
薬物投与部材、エネルギー源、トリガー機構、および薬物送達オリフィスと流体連通した液体薬物製剤を保持する薬物容器を備える無針注射器であって、
第1の圧力で第1の加圧ガスを含有する第1のガスリザーバであって、
第1の加圧ガスが薬物投与部材と接触し、かつ薬物投与部材を前方に駆り立て、
薬物投与部材の動きがトリガー機構によって妨げられる、第1のガスリザーバ;
第2の圧力で第2の加圧ガスを含有する第2のガスリザーバであって、
該薬物投与部材は該トリガー機構によって解放されるまで、第2の加圧ガスによって前方に駆り立てられない、第2のガスリザーバ
を備える、無針注射器。
【請求項４】
前記第1の圧力が前記第2の圧力より大きい、請求項3記載の無針注射器。
【請求項５】
第1のガスリザーバが前記薬物投与部材と軸方向に揃えられ、かつ第2のガスリザーバが半径方向にずらされている、請求項3および4のいずれか記載の無針注射器。
【請求項６】
薬物投与部材がトリガー機構によって解放された後に前方に移動して、ガス流路が露出するように注射器が構成されており、該ガス流路が第1の加圧ガスを第2の加圧ガスにさらに曝露し、その後に、混合された第1の加圧ガスおよび第2の加圧ガスによって薬物投与部材が前方に駆り立てられる、請求項3、4、および5のいずれか一項記載の無針注射器。
【請求項７】
薬物投与部材、エネルギー源、トリガー機構、および薬物送達オリフィスと流体連通した液体薬物製剤を保持する薬物容器を備える無針注射器であって、
該薬物容器はガラス管およびラムを備え、該ガラス管は引き延ばされ、かつ該ラムは、該ガラス管と接触している一対のラムシールによって誘導および密閉される、無針注射器。
【請求項８】
薬物投与部材、エネルギー源、トリガー機構、および薬物送達オリフィスと流体連通した液体薬物製剤を保持する薬物容器を備える無針注射器であって、
圧縮された皿ばねスタックを備える、無針注射器。
【請求項９】
薬物投与部材、エネルギー源、トリガー機構、および薬物送達オリフィスと流体連通した液体薬物製剤を保持する薬物容器を備える無針注射器であって、
該無針注射器は、ボールベアリングトリガー、シートメタルストラトトリガーの一方をさらに備え;
該薬物投与部材の動きはトリガー機構によって妨げられ;
該薬物投与部材はカム面を備える凹部を備え;
動きは、該薬物容器に機械的に取り付けられた摺動部材によってブロックされる、無針注射器。
【請求項１０】
薬物投与部材、エネルギー源、トリガー機構、および薬物送達オリフィスと流体連通した液体薬物製剤を保持する薬物容器を備える無針注射器であって、
第1の圧力で第1の加圧ガスを含有する第1のガスリザーバ;
機械式ばね
を備える、無針注射器。
【請求項１１】
薬物投与部材、エネルギー源、トリガー機構、および薬物送達オリフィスと流体連通した液体薬物製剤を保持する薬物容器を備える無針注射器であって、
該無針注射器は、
中空ラムと;
中空ラムの内部領域を備えるガスシリンダーとを備え、
該ラムは、薬物送達ピストンにぶつかる前に、前方に、空気間隙の端から端まで駆り立てられ;
さらに、次いで、加圧ガスがラムおよびピストンを前方に動かす、無針注射器。
【請求項１２】
トリガーボタンをさらに備え、
該トリガーボタンが押しつけられると、中空ラムの端を変形することによって、中空ラムが離脱する、
請求項11記載の無針注射器。
【請求項１３】
薬物投与部材、エネルギー源、トリガー機構、および薬物送達オリフィスと流体連通した液体薬物製剤を保持する薬物容器を備える無針注射器であって、
該無針注射器は、
該薬物送達オリフィスをカバーするキャップと:
該注射器を実質的に密封するケースとを備え、
該キャップは第1のセットのねじ山を含み、キャップをまわして取ることによって取り外され、
該第1のセットのねじ山が対応するセットのねじ山と係合し、該対応するセットのねじ山は、
薬物容器の一部である;
薬物容器に取り付けられている;
薬物容器に対して一定の距離で強固に保持された無針注射器の構成要素に取り付けられている
より選択される特性を特徴とし、
さらに、該キャップは第2のセットのねじ山を含み、
該第2のセットのねじ山は、該ケースを備える第2の対応するセットのねじ山と係合し、
装置を誤って起動しないように、該第2の対応するセットのねじ山は、組み立て、キャップの取り付け、保存、取扱い、輸送、およびキャップの取り外しの間、薬物送達オリフィスを偏らせるように働く、無針注射器。
【請求項１４】
前記トリガー機構は動きをブロックする可動体を備え、
該トリガー機構が可動体を動かし、それによって凹部が曝露される、請求項1〜13のいずれか一項に記載の無針注射器。
【請求項１５】
薬物投与部材がカム面を備える、請求項14記載の無針注射器。
【請求項１６】
前記可動体が以下の1つまたは複数の動きをブロックする、請求項14および15のいずれか記載の無針注射器:
スプール;
ボールベアリング;および
シートメタル。
【請求項１７】
トリガー機構がオリフィスを表面に押しつける動作によって起動される、請求項1〜16のいずれか一項に記載の無針注射器。
【請求項１８】
無針注射器が、
ラムおよび衝撃ギャップを備え、
必要とされる衝撃ギャップを維持するように組み立てられた時に、ラムが所定の位置にとどまるように、ラムは保持要素、空気圧差から選択される特徴により保持され、かつ
薬物投与部材が:
破裂可能なダイヤフラム;
剪断すること;
変形させること;
ラムと保持要素との間の摩擦に打ち勝つこと;
アクチュエータにより駆動されること;および
それらの組み合わせ
より選択される機構により開放される、請求項1〜17のいずれか一項に記載の無針注射器。
【請求項１９】
薬物容器が、ピストン構成要素、薬物送達オリフィスを備える単一の構成要素、および薬物送達オリフィスにあるいかなる開口部も密閉するエラストマーシーリング要素のみによって本質的に画定される、請求項1〜18のいずれか一項に記載の無針注射器。
【請求項２０】
薬物送達容器が、薬物送達オリフィスを備えるノズル構成要素、および別個のホウケイ酸ガラス構成要素を備え、ホウケイ酸ガラスが円形チューブであり;
該ノズル構成要素が、保存中に製剤の漏出が起こらないほど十分に強固にガラス構成要素に保持され; 
さらに、注射器が起動された時に、該ノズル構成要素が、製剤の漏出が起こらないほど十分に強固にガラス構成要素に保持される、
請求項1〜19のいずれか一項記載の無針注射器。
【請求項２１】
オリフィスを密閉するエラストマーシーリング要素を備えるキャップを備え、
該キャップは、キャップが装置に取り付けられた時に、さも無ければ発生するであろう、ひずみを無くし、かつ、エラストマーシーリング要素からの付随する漏出を無くす回転要素をさらに備える、
請求項1〜20のいずれか一項記載の無針注射器。
【請求項２２】
前記薬物容器に
0.6mL以上の液体薬物製剤;
0.9mL〜約1.6mLの液体薬物製剤;
0.5mLの製剤体積;および
約1.0mlの液体薬物製剤
から選択される量が予め充填されている、請求項1〜21のいずれか一項記載の無針注射器。
【請求項２３】
薬物投与部材が液体薬物製剤と接触している、請求項1〜22のいずれか一項記載の無針注射器。
【請求項２４】
薬物投与部材が液体薬物製剤と接触せず、
該薬物投与部材がピストン構成要素から空気ギャップによって分離され、該ピストン構成要素が液体薬物製剤と接触する、請求項1〜22のいずれか一項記載の無針注射器。
【請求項２５】
トリガー機構が少なくとも1つのボールベアリングを備える、請求項1〜24のいずれか一項記載の無針注射器。
【請求項２６】
加圧ガスを備え、かつ破裂可能なダイヤフラムをさらに備える、請求項1〜25のいずれか一項記載の無針注射器。
【請求項２７】
加圧ガスの容器;
壊れやすいシールであって、該壊れやすいシールを壊すことでガスが逃げかつ装置を起動することができる、壊れやすいシール
を備える、請求項1〜26のいずれか一項記載の無針注射器。
【請求項２８】
薬物投与部材が、ラムヘッドおよび該ラムヘッドを通り過ぎて充填する可能性を許容する一方向バルブを備える、請求項1〜26のいずれか一項記載の無針注射器。